(57)【要約】【課題】水位の変動に対応しつつ、水車に作用する水流中にゴミが進入することを妨げる水路用のゴミ除け具及び水車装置を提供する。【解決手段】水路Ｃを構成する基体Ｃ１側に固着された軸受部５に軸着されて傾動可能に設けられた傾動アーム２と、傾動アーム２の傾斜できる角度を設定するように設けられた傾斜角制限用のストッパ部３と、水に浮かぶ浮きであって、傾動アーム２によって保持され、傾動アーム２を伴って水路Ｃの水位Ｌに応じて昇降するフロート１０と、フロート１０又はそのフロート１０の上流側に、水流Ｗの上流側から下流側へ延びる線材２１が複数本並列に配されて設けられたゴミ除け部２０とを備える。【選択図】図１
2014202089.tif 000002
【特許請求の範囲】
【請求項１】
水路を水流に伴って流れるゴミを除けて、該水路の所要の部位に該ゴミが進入することを妨げる水路用のゴミ除け具であって、
アーム状に設けられて、前記水路の上で上下に傾動できるように、該水路を構成する基体側に固着された軸受部に軸着されて傾動可能に設けられた傾動アームと、
該傾動アームの傾動を制限して最大に下方へ傾斜できる角度を設定するように設けられた傾斜角制限用のストッパ部と、
水に浮かぶ浮きであって、前記傾動アームによって保持され、該傾動アームを伴って前記水路の水位に応じて昇降するフロートと、
該フロートの水流の下流側における前記水路の所要の部位に前記ゴミが進入することを妨げて該ゴミが流れ去るように、該フロート又は該フロートの上流側に、水流の上流側から下流側へ延びる線材が複数本並列に配されて設けられたゴミ除け部とを備える水路用のゴミ除け具。
【請求項２】
前記フロートの下面に水流の上流側から下流側へ徐々に下がるように傾斜された傾斜面が設けられ、該傾斜面に連続するように、前記ゴミ除け部の線材が水流の上流側から下流側へ徐々に下がるように傾斜して延びる状態に該フロートに装着されていることを特徴とする請求項１に記載の水路用のゴミ除け具。
【請求項３】
前記ゴミ除け部の線材にゴミが溜まることで作用する水流による力に対応して、該線材の水流についての後端側が上方へ回動して前記ゴミを流すことが可能に、該線材の水流についての前端側が前記フロートに軸着されていることを特徴とする請求項２に記載の水路用のゴミ除け具。
【請求項４】
前記ゴミ除け部の線材に溜まるゴミを該線材の水流についての後端側が上方へ回動して前記ゴミを流すことが可能に、該線材の水流についての前端側が前記フロート又は前記傾動アームに軸着され、該線材の軸着部から上方へ延設された状態に固定されて該線材の後端側が上方へ回動するように押し下げることができる操作レバー部が設けられていることを特徴とする請求項２〜３に記載の水路用のゴミ除け具。
【請求項５】
前記傾斜角制限用のストッパ部に、前記傾動アームの傾斜できる角度を調整するように、上下方向の位置を調整できる上下位置調整手段が設けられていることを特徴とする請求項１〜４のいずれかに記載の水路用のゴミ除け具。
【請求項６】
前記フロートに作用する水流による力に対応して、該フロートの水流についての後端側又は前端側が上方へ回動して前記ゴミを流すことが可能に前記傾動アームに軸着されて、該フロートの回動が制限されるように該フロートと該傾動アームとの間に弾性体が配されていることを特徴とする請求項１〜５のいずれかに記載の水路用ゴミ除け具。
【請求項７】
前記フロートの後端側が水流による力によって上方へ持ち上げられる角度を一定範囲内に規制し、該一定範囲を超えて該フロートの後端側を持ち上げる力が働くときは該フロートと共に前記傾動アームが上昇するように、該傾動アームに対してのフロートの回動を規制する回動規制部が設けられていることを特徴とする請求項６に記載の水路用ゴミ除け具。
【請求項８】
前記フロートの前端側が水流による力によって上方へ持ち上げられる角度を一定範囲内に規制し、該一定範囲を超えて該フロートの前端側を持ち上げる力が働くときは該フロートと共に前記傾動アームが上昇するように、該傾動アームに対してのフロートの回動を規制する回動規制部が設けられていることを特徴とする請求項６に記載の水路用ゴミ除け具。
【請求項９】
請求項１〜８のいずれかに記載の水路用ゴミ除け具によって、前記ゴミが進入することを妨げられた部位に水車を配置するように、前記傾動アームの傾動端側に水車が装着されていることを特徴とする水車装置。
【請求項１０】
前記傾動アームがフロートの作用や水流による力の変化に対応して上下に傾動し易いように、前記水車が装着された前記傾動アームの見かけの重量を軽減してバランスを取るバランス手段が設けられていることを特徴とする請求項８記載の水車装置。
【発明の詳細な説明】
【技術分野】
【０００１】
この発明は、水路を水流に伴って流れるゴミを除けて、該水路の所要の部位に該ゴミが進入することを妨げる水路用のゴミ除け具及びかかるゴミ除け具を備えた水車装置に関する。
【背景技術】
【０００２】
今日、原子力発電及び火力発電による環境への悪影響が問題となっていることから、クリーンエネルギーである水力を利用する水力発電が大いに注目されている。水力発電については大規模なダムを建設して水の落下エネルギーを利用する場合の他、小さな川や住宅や田畑の脇の農業用水路などの水路を流れる水流で水車を回して発電する地域密着型の小水力発電の研究が進んでいる。
【０００３】
水路には水流に伴って流れてくるゴミが水車の羽根部に負荷をかけて回転を妨げる。また、ゴミが滞留すると水路の水位が上昇し、水路から水を溢れさせることとなる。このため、いかにこのゴミの滞留を防ぐかが問題となっている。また、水路の水流は上流の状況や季節の変化によって水位が変動するため、水位の変動に伴って回転できるように水車を位置させる必要がある。
【０００４】
そこで、特許文献１のように、発電軸１３と平行に設置された水車軸３と移動軸９を有し、水車をフロート２で水面に浮上させ、パドル１で水車を回転させ発電機を回転する水路発電装置に於いて、水車軸３を吊下棒４で移動軸９より支持し、移動軸９を吊上棒１２で発電軸１３より支持し、吊上棒１２を発電軸１３を中心に回転する天秤とし、吊上棒１２に移動軸９とは反対側に錘１１を設置し、水車重量の一部を錘１１重量により吊上げる事が出来る水路発電装置が提案されている。
【０００５】
しかしながら、上記の装置ではフロート２が上昇するため、ゴミの滞留及び水位の上昇を防ぐことができるが、フロート２の上昇時の発電効率が低下する。
【先行技術文献】
【特許文献】
【０００６】
【特許文献１】特許第４６６５３８７号公報（請求項１、第３図）
【発明の概要】
【発明が解決しようとする課題】
【０００７】
そこで、本発明は、水位の変動に対応しつつ、水車に作用する水流中にゴミが進入することを妨げる水路用のゴミ除け具及びかかるゴミ除け具を備えた水車装置を提供することを目的とする。
【課題を解決するための手段】
【０００８】
本発明にかかる水路用のゴミ除け具の一形態によれば、水路を水流に伴って流れるゴミを除けて、該水路の所要の部位に該ゴミが進入することを妨げる水路用のゴミ除け具であって、アーム状に設けられて、前記水路の上で上下に傾動できるように、該水路を構成する基体側に固着された軸受部に軸着されて傾動可能に設けられた傾動アームと、該傾動アームの傾動を制限して最大に下方へ傾斜できる角度を設定するように設けられた傾斜角制限用のストッパ部と、水に浮かぶ浮きであって、前記傾動アームによって保持され、該傾動アームを伴って前記水路の水位に応じて昇降するフロートと、該フロートの水流の下流側における前記水路の所要の部位に前記ゴミが進入することを妨げて該ゴミが流れ去るように、該フロート又は該フロートの上流側に、水流の上流側から下流側へ延びる線材が複数本並列に配されて設けられたゴミ除け部とを備えることを特徴とする。
【０００９】
また、本発明にかかる水路用のゴミ除け具の一形態によれば、前記フロートの下面に水流の上流側から下流側へ徐々に下がるように傾斜された傾斜面が設けられ、該傾斜面に連続するように、前記ゴミ除け部の線材が水流の上流側から下流側へ徐々に下がるように傾斜して延びる状態に該フロートに装着されていることを特徴とする。
【００１０】
また、本発明にかかる水路用のゴミ除け具の一形態によれば、前記ゴミ除け部の線材にゴミが溜まることで作用する水流による力に対応して、該線材の水流についての後端側が上方へ回動して前記ゴミを流すことが可能に、該線材の水流についての前端側が前記フロートに軸着されていることを特徴とする。
【００１１】
また、本発明にかかる水路用のゴミ除け具の一形態によれば、前記ゴミ除け部の線材に溜まるゴミを該線材の水流についての後端側が上方へ回動して前記ゴミを流すことが可能に、該線材の水流についての前端側が前記フロート又は前記傾動アームに軸着され、該線材の軸着部から上方へ延設された状態に固定されて該線材の後端側が上方へ回動するように押し下げることができる操作レバー部が設けられていることを特徴とする。
【００１２】
また、本発明にかかる水路用のゴミ除け具の一形態によれば、前記傾斜角制限用のストッパ部に、前記傾動アームの傾斜できる角度を調整するように、上下方向の位置を調整できる上下位置調整手段が設けられていることを特徴とする。
【００１３】
また、本発明にかかる水路用のゴミ除け具の一形態によれば、前記フロートに作用する水流による力に対応して、該フロートの水流についての後端側又は前端側が上方へ回動して前記ゴミを流すことが可能に前記傾動アームに軸着されて、該フロートの回動が制限されるように該フロートと該傾動アームとの間に弾性体が配されていることを特徴とする。
【００１４】
また、本発明にかかる水路用のゴミ除け具の一形態によれば、前記フロートの後端側が水流よる力によって上方へ持ち上げられる角度を一定範囲内に規制し、該一定範囲を超えて該フロートの後端側を持ち上げる力が働くときは該フロートと共に前記傾動アームが上昇するように、該傾動アームに対してのフロートの回動を規制する回動規制部が設けられていることを特徴とする。
【００１５】
また、本発明にかかる水路用のゴミ除け具の一形態によれば、前記フロートの前端側が水流よる力によって上方へ持ち上げられる角度を一定範囲内に規制し、該一定範囲を超えて該フロートの前端側を持ち上げる力が働くときは該フロートと共に前記傾動アームが上昇するように、該傾動アームに対してのフロートの回動を規制する回動規制部が設けられていることを特徴とする。
【００１６】
また、本発明にかかる水車装置によれば、上記水路用ゴミ除け具によって、前記ゴミが進入することを妨げられた部位に水車を配置するように、前記傾動アームの傾動端側に水車が装着されていることを特徴とする。
【００１７】
また、本発明にかかる水車装置によれば、前記傾動アームがフロートの作用や水流による力の変化に対応して上下に傾動し易いように、前記水車が装着された前記傾動アームの見かけの重量を軽減してバランスを取るバランス手段が設けられていることを特徴とする。
【発明の効果】
【００１８】
本発明にかかるゴミ除け具及び水車装置によれば、水位の変動に対応しつつ、水車に作用する水流中にゴミが進入することを妨げる水路用のゴミ除け具及びかかるゴミ除け具を備えた水車装置を提供できるという特別有利な効果を奏する。
【図面の簡単な説明】
【００１９】
【図１】（ａ）は、本発明にかかるゴミ除け具の形態例の側面図である。（ｂ）は、本発明にかかる水路用のゴミ除け具のフロート及びゴミ除け部を上流側から見た形態例を示す図である。
【図２】線材を回動可能としたフロートを備えた水路用のゴミ除け具の形態例を示す側面図である。
【図３】線材を回動可能としたフロートを備えた水路用のゴミ除け具の形態例を示す側面図である。
【図４】後端部が回動可能なフロートを傾動アームに備えた状態の形態例を示す側面図である。
【図５】図４のフロートに回動規制手段を備えた状態を示す側面図である。
【図６】前端部が回動可能なフロートを傾動アームに備えた状態の形態例を示す側面図である。
【図７】水路用のゴミ除け具を備えた状態の水車装置の形態例を示す側面図である。
【図８】傾動アームにバランス手段を設けた状態を示す図であって、（ａ）が傾動アームの傾動端側と反対側に設けた例を示す側面図であり、（ｂ）が傾動アームの傾動端側に設けた例を示す側面図である。
【図９】（ａ）は、水路用のゴミ除け具などを水路から持ち上げる機構を備えた状態を示す側面図である。（ｂ）は、水路用のゴミ除け具などを水路から持ち上げた状態を示す側面図である。
【発明を実施するための形態】
【００２０】
以下、本発明にかかる水路用のゴミ除け具及びかかるゴミ除け具を備えた水車装置の形態例を添付図面（図１〜９）に基づいて詳細に説明する。
【００２１】
図１は、（ａ）が本発明にかかる水路用のゴミ除け具１の形態例の側面図であり、（ｂ）が本発明にかかる水路用のゴミ除け具のフロート１０及びゴミ除け部２０を上流側から見た形態例を示す図である。
【００２２】
本発明に係る水路用のゴミ除け具１は、水路Ｃを水流Ｗに伴って流れるゴミＧを除けて、水路Ｃの所要の部位ＸにゴミＧが進入することを妨げるためのものである。ここで、所要の部位Ｘとは、フロート１０の位置より水流Ｗの下流側であって、水路Ｃの側面に開口した取水口の開口部Ｓや水流Ｗを水車などに導くため水路Ｃに沿って上流側が開口した導管の開口部Ｋ、あるいは後述の傾動アーム２に装着された水車３０が回転する部位が位置する水流Ｗ中をいう。
【００２３】
水路用のゴミ除け具１は、傾動アーム２、ストッパ部３、フロート１０及びゴミ除け部２０とを備えている。
【００２４】
傾動アーム２は、アーム状に設けられて、水路Ｃの上で上下に傾動できるように、水路Ｃを構成する基体Ｃ１側に固着された軸受部５に軸着されて傾動可能に設けられている。傾動アーム２は、傾動アーム２より保持部２ａを下方へ垂直に形成してフロート１０に連結して保持している。また、傾動アーム２は、軸受部５から連続して湾曲するアーム状に形成してフロート１０に連結して保持することもできる。なお、水路Ｃを幅方向に囲む両基体Ｃ１にそれぞれ軸受部５及び傾動アーム２を設けて、その２本の傾動アーム２で一つのフロート１０を保持することもできる。傾動アーム２の軸受部５から水路Ｃに対する角度は問わない。すなわち、図１（ａ）に示すように、水路Ｃに沿って基体Ｃ１と水平に伸ばしたアーム状に設けることができる他、軸受部５から水路Ｃに対して幅方向に伸ばして設けたり、斜め下流方向に伸ばして設けたりすることができる。また、傾動アーム２の傾動端側６に保持部（図示せず）を設け、上記導管の開口部Ｋを高さ調整可能に保持することもできる。
【００２５】
ストッパ部３は、傾動アーム２の傾動を制限して最大に下方へ傾斜できる角度を設定するように設けられている。このストッパ部３によって後述のゴミ除け部２０が水路Ｃの底部Ｃ２に当たらず水流Ｗ中で保持することができる。ストッパ部３は、図１（ａ）に示すように、棒状体で形成し、傾動アーム２の傾動端側６に直立して位置させ、その棒状体の下端が水路の基体Ｃ１に当接して傾動アーム２の傾動を制限する。ストッパ部３を傾動アーム２に設ける位置は問わない。また、ストッパ部３には、傾動アーム２の傾斜できる角度を調整するように、上下方向の位置を調整できる上下位置調整手段３ａが設けられている。これにより、水流Ｗが減り水位Ｌが下がった場合や逆に水位Ｌが上がった場合に、一定の範囲でフロート１０の位置又は後述の傾動アーム２に装着された水車装置３０の位置を調整することができる。上下位置調整手段３ａには、棒状体の上部に形成された螺着部とナットなど傾動アーム２に固定するための固定具を用いる。
【００２６】
フロート１０は、水に浮かぶ浮きであって、傾動アーム２によって保持され、傾動アーム２を伴って水路Ｃの水位Ｌに応じて昇降する。フロート１０は、傾動アーム２及び傾斜角制限用のストッパ部３などフロート１０にかかる重さに抗して水流Ｗに浮くことができ、かつ後述のゴミ除け部２０を備えることができるものであればその大きさは問わない。また、フロート１０の形状は、平板状であっても円柱状であってもよい。フロート１０の水流Ｗに対する幅は、水路Ｃの幅に合わせてもよいし、水路Ｃの幅の一部のみの幅で形成してもよい。この幅及び位置はゴミＧを除けるための所要の部位Ｘ及び後述のゴミ除け具２０との関係で選択することができる。すなわち、取水口の開口部Ｓが水路Ｃの片側に開いていれば、その開口部Ｓ寄りにフロート１０を位置させたり、導管の開口部Ｋが水路Ｃの幅の中央部にあれば、その開口部Ｋの幅に合わせて水路Ｃの中央部に位置させたりすることができる。
【００２７】
ゴミ除け部２０は、フロート１０の水流Ｗの下流側における水路Ｃの所要の部位にゴミＧが進入することを妨げてゴミが流れ去るように、フロート１０又はフロート１０の上流側に、水流Ｗの上流側から下流側へ延びる線材２１が複数本並列に配されて設けられている。これにより水流Ｗを通過させつつ、水流Ｗに流れてくるゴミＧを線材２１で遮ることができる。
【００２８】
ゴミ除け部２０は、フロート１０の下部であれば装着箇所は問わない。図１に示すように、フロート１０の下面に水流の上流側から下流側へ徐々に下がるように傾斜された傾斜面１１が設けられ、傾斜面１１に連続するように、ゴミ除け部２０の線材２１が水流Ｗの上流側から下流側へ徐々に下がるように傾斜して延びる状態にフロート１０に装着することができる。このようにゴミ除け部２０を傾斜面１１に連続するように装着することでゴミＧを線材２１の後端側２２へ導き所要の部位Ｘに至らせずに水流Ｗの下流へ流すことができる。
【００２９】
線材２１は、強度のある部材、例えばピアノ線などで構成する。線材２１は、水流Ｗの速さ、流れてくるゴミＧの状況など水路Ｃの状態に応じて、強度、太さやフロート１０に装着する本数、間隔などを自由に採択することができる。竹や木で形成してもよい。また、線材２１は、図１（ｂ）に示すように垂直に配することもできるが、線材２１同士を交差させたり、各線材２１湾曲させたり、ギザギザにしたりすることも可能である。これにより形状や量などを異にして流れてくるゴミＧに対応することができる。
【００３０】
ゴミ除け部２０は、ゴミ除け部２０の線材２１にゴミＧが溜まることで作用する水流Ｗによる力に対応して、線材２１の水流Ｗについての後端側２２が上方へ回動してゴミＧを流すことが可能に、線材２１の水流Ｗについての前端側２３がフロート１０に軸着させることができる。線材２１はそれ自体弾力性がある部材を採用すれば線材２１の後端側２２に導かれたゴミＧを、後端側２２が一部変形して隙間を形成して下流側へ流すことが可能である。しかしながら、線材２１が一部変形しても流し切れないゴミＧが滞留する場合があると水流Ｗの流れが悪くなり、水路Ｃが溢れるおそれがある。このような状況を解消するため線材２１の水流についての後端側２２を上方に回動し易くしてゴミＧの滞留を防ぐことができる。
【００３１】
後端側２２を上方に回動し易くさせるため、以下の構成を採用する。図２に示すように、フロート１０の前端側１５にそれぞれの線材２１の前端側２３を軸着するための軸着部２４を水路Ｃの幅方向に設ける。この軸着部２４の全体を回動可能に軸着部２４から上方へ延設された延設部２５、例えば金属製の棒状体を軸着部２４に固定して設ける。この延設部２５とフロート１０の前端側１５の上面部との間に連結する弾性体２６を備える。後端側２２と水路Ｃの底部Ｃ２とに間にゴミＧが滞留して線材２１を上方に押し上げると弾性体２６が伸びて延設部２５が上流側へ倒れ、滞留したゴミＧを流すことができる。ゴミＧが流れた後は弾性体２６によって延設部２５が元の位置に復帰する。弾性体２６にはコイルスプリングやゴムなどを用いる。
【００３２】
また、ゴミ除け部２０は、ゴミ除け部２０の線材２１に溜まるゴミＧを線材２１の水流についての後端側２２が上方へ回動してゴミＧを流すことが可能に、線材２１の水流Ｗについての前端側２３がフロート１０に軸着され、線材２１の軸着部２４から上方へ延設された状態に固定されて線材２１の後端側２２が上方へ回動するように押し下げることができる操作レバー部２７を設けることができる。これにより、大量のゴミＧが線材２１の水流についての後端側２２と水路Ｃの底部Ｃ２との間に滞留した場合に、線材２１の後端側２２を手動によって上方へ回動させることでゴミＧを下流へ流すことができる。
【００３３】
操作レバー部２７は、図３に示すように、軸着部２４に軸着部２４を回動可能に固定され、支持部２９で保持される。支持部２９は、フロート１０の上面部の前端側１５に操作レバー部２７の押し下げ可能範囲、すなわちゴミ除け部２０の後端側２２が上方へ回動する範囲を規制する規制部２９ａと、操作レバー部２７が元の位置に戻るように保持する弾性体２８が備えられている。弾性体２８にはコイルスプリングやゴムなどを用いる。なお、操作レバー部２７は、水流Ｗによって弾性体２８が伸びて自動的に押し下げられてゴミＧを流すこともできる。
【００３４】
また、フロート１０自体を傾動させて線材２１の水流についての後端側２２と水路Ｃの底部Ｃ２との間に滞留したゴミＧを下流へ流すことができる。図４に示すように、フロート１０にゴミＧが溜まることで作用する水流Ｗによる力に対応して、フロート１０の水流Ｗについての後端側１２が上方へ回動してゴミＧを流すことが可能に傾動アーム２に軸着されて、フロート１０の回動が制限されるようにフロート１０と傾動アーム２との間に弾性体１４が配されている。保持部２ａの下端部にフロート１０と軸着する軸着部１３を備えている。これにより、フロート１０の後端側１２が上方へ回動することを可能にしている。軸着部１３の位置は、後端側１２が上方へ回動することが可能であればフロート１０の上面部の中央部であっても前方部であってもよい。弾性体１４は、回動したフロート１０を元の位置に戻すことができる。弾性体２８にはコイルスプリングや板バネなどを用いる。なお、図４に示すように、フロート１０及び弾性体１４の上下方向の位置を調整することができるように、保持部２ａと、弾性体１４を傾動アーム２で保持する保持部１８とに上下位置調整手段、例えば螺着部２ｂ、１８ａを設けてナットなどで固定する調整部を設けることができる。
【００３５】
また、図５に示すように、フロート１０の後端側１２が水流Ｗによる力によって上方へ持ち上げられる角度を一定範囲内に規制し、その一定範囲を超えてフロート１０の後端側１２を持ち上げる力が働くときはフロート１０と共に傾動アーム２が上昇するように、傾動アーム２に対してのフロート１０の回動を規制する回動規制部４を設けることができる。フロート１０の後端側１２のみが上方へ持ち上がると、所要の部位Ｘへ線材２１の後端側２２が入り込み、ゴミＧが所要の部位Ｘに至ることを遮ることができない場合がある。そこで、フロート１０の後端側１２が持ち上がり、それに伴って線材２１の後端側２２が持ち上がる際に、傾動アーム２に連結された後述の水車３０や導管の開口部Ｋも上昇するようにする。これにより、水車３０などに送られる水流Ｗが必ず水路用のゴミ除け具１を経たものとすることができる。
【００３６】
回動規制部４は、フロート１０の後端側１２が一定範囲を超えて上方に持ち上がったときに下端部４ａがフロート１０の上面部に接して傾動アーム２にフロート１０の後端側１２を持ち上げる力を伝える。図４では棒状体で形成されているが、上記の持ち上げる力を伝達できればどのような形状でもよい。これにより傾動アーム２も上昇する。回動規制部４には上下位置を調整する手段、例えば螺着部４ｂが設けられており、これによりフロート１０の後端側１２の回動許容範囲を定めることができる。
【００３７】
また、図６に示すように、フロートの前端側１５が水流Ｗによる力によって上方へ持ち上げられる角度を一定範囲内に規制し、その一定範囲を超えてフロート１０の前端側１５を持ち上げる力が働くときはフロート１０と共に傾動アーム２が上昇するように、傾動アーム２に対してのフロート１０の回動を規制する回動規制部１６を設けることができる。フロート１０の前端側１５が回動することで水路Ｃの水位Ｌの変化に対応することができる。このフロート１０には固定又は軸着されたゴミ除け部２０を装着することができる。しかしながら、ゴミ除け部２０をフロート１０に装着した場合、フロート１０の前端側１５が上昇すると、ゴミ除け部２０の傾斜角が大きくなり、ゴミＧを下流へ流すことを遮る場合がある。また、フロート１０の前端側１５が下降するとゴミ除け部２０が水流ＷのゴミＧを遮らずに所要の部位にゴミＧが流れ込む場合がある。そこで、フロート１０の前端側１５の回動範囲を規制する回動規制部１６を設ける。
【００３８】
回動規制部１６は、図６に示すように、突出部１６ａと上下動規制部１６ｃを備えている。突出部１６ａは、フロート１０の上面部から立設した側面視逆Ｌ字状の水平部１６ｂを形成している。上下動規制部１６ｃは、下部に傾動アーム２に突出部１６ａの上端の水平に形成された部分を挟むように上下に間隔を開けた２列の顎状部１６ｄを形成している。フロート１０の前端側１５が顎状部１６ｄの上部より上に上昇しようとするときは、図６（ｂ）に示すように傾動アーム２も押し上げられて上昇する。これにより、ゴミ除け部２０をフロート１０に固定又は軸着している場合に線材２１の後端側２２が水路の底部Ｃ２に当たって破損しないようにすることができる。また、フロート１０の前端側１５が一定範囲以上に下降することを防ぎ、所要の部位ＸにゴミＧが至らないようにすることができる。なお、フロート１０の後端側１２に弾性体１７、例えばスプリング、板バネなどを備え、フロート１０の前端側１５を元の位置に戻すことができる。
【００３９】
また、図６（ｂ）に示すように、ゴミ除け部２０は、フロート１０に固定又は軸着せずに、フロート１０の上流側に備えることができる。このように傾動アーム２にゴミ除け部２０を備えることで、上述のようにフロート１０の前端側１５が上昇することで線材２１の後端側２２が上昇できる角度範囲を大きくすることができる。これにより滞留したゴミＧを流し易くすることができる。
【００４０】
ゴミ除け部２０は、上下動規制部１６ｃの位置より前方の傾動アーム２に、傾動アーム２から下方に垂下させた保持部３５の軸着部３５ａに軸着される。軸着部３５ａには、上方へ延設された状態に固定されて線材２１の後端側２２が上方へ回動するように押し下げることができる操作レバー部３６を設けることができる。
【００４１】
操作レバー部３６は、弾性体３７を介して傾動アーム２より立設させた支持部３８で保持される。弾性体３７は、操作レバー部３６が元の位置に戻るように支持部３８と操作レバー部３６との間に備えられる。弾性体３７にはコイルスプリングやゴムなどを用いる。傾動アーム２には、操作レバー部３６の押し下げ可能範囲、すなわちゴミ除け部２０の後端側２２が上方へ回動する範囲を規制する規制部３９が操作レバー部３６の押し下げ方向に備えられている。なお、操作レバー部３６は、水流Ｗによって規制部３９によって規制される範囲で自動的に押し下げられてゴミＧを流すことができる。ゴミＧによってゴミ除け部２０の後端側２２がさらに上方へ回動する力が働くときは、傾動アーム２とともに上方へ回動させることができる。
【００４２】
図７は、水路用ゴミ除け具１によって、ゴミＧが進入することを妨げられた部位に水車３０を配置するように、傾動アーム２の傾動端側５に水車３０が装着されている状態を示す。水車３０は傾動アーム２の傾動端側５から垂下させた水車の保持部３２によって水流Ｗ中に保持される。このように水車３０は、水路用のゴミ除け具１によってゴミＧが除かれた水流Ｗによって動作するので水車３０の回転中にゴミＧが当たることを防ぐことができる。これにより、発電装置（図示せず）と連結された水車３０の発電効率を高めることができる。なお、効率的な発電のためには水車３０の軸部３１が水位Ｌの位置にあることが望ましい。また、ストッパ部３によって水車３０の高さを調整することができる。傾動アーム２、フロート１０及びゴミ除け部２０の構成については上述のいずれの構成も採用することができる。
【００４３】
図８は、傾動アーム２がフロート１０の作用や水流Ｗによる力の変化に対応して上下に傾動し易いように、水車３０が装着された傾動アーム２の見かけの重量を軽減してバランスを取るバランス手段３５が設けられている状態を示す。見かけの重量を軽減することで、フロート１０は負荷が軽減され、敏感に上下動を行うことができる。フロート１０の負荷が軽減されるため、フロート１０を小さくすることもできる。バランス手段３５としては、図８（ａ）に示すように、軸受部５を支点にして傾動アーム２の傾動端側６とは反対側へ延長された反対端側７と、この反対端側７に配されて傾動端側６と重量バランスを取る錘８とを備えることができる。また、別のバランス手段３５としては、図８（ｂ）に示すように、傾動アーム２の傾動端側６を吊り上げて傾動アーム２の見かけの重量を軽減するようにバランスを取る滑車装置９を設けることができる。滑車装置９は、プーリー９ａと傾動アーム２に取り付けられているワイヤーなどの吊下げ具９ｂと錘８を備えている。
【００４４】
図９は、傾動アーム２の傾動端側６に上述のフロート１０と水車３０などを水路Ｃから基体Ｃ１側に持ち上げるための持ち上げ部５０と、その動作を示す。持ち上げ部５０は、図９（ｂ）に示すように、水路Ｃの水流Ｗが極めて少ない場合や各部の修理が必要なときなどに、回転させて端部５０ａを基体Ｃ１に接地させ、フロート１０などを水路Ｃから持ち上げることができる。
【００４５】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００４６】
１  水路用のゴミ除け具
２  傾動アーム
２ａ  保持部
３  ストッパ部
３ａ  上下位置調整手段
４  回動規制部
４ａ  回動規制部の下端部
４ｂ  螺着部  
５  軸受部
６  傾動端側
７  反対端側
１０  フロート
１１  傾斜面
１２  フロートの後端側
１３  軸着部
１４  弾性体
１５  フロートの前端側
１６  回動規制部
１６ａ  突出部
１６ｂ  水平部
１６ｃ  上下動規制部
１６ｄ  顎状部
１７  弾性体
１８  保持部
１８ａ  螺着部
２０  ゴミ除け部
２１  線材
２２  線材の後端側
２３  線材の前端側
２４  軸着部
２５  延設部
２６  弾性体
２７  操作レバー部
２８  弾性体
２９  支持部
２９ａ  規制部
３０  水車
３１  軸部
３２  水車の保持部
３５  保持部
３５ａ  軸着部
３６  操作レバー部
３７  弾性体
３８  支持部
３９  規制部
４５  バランス手段
５０  持ち上げ部
５０ａ  端部
Ｗ  水流
Ｌ  水位
Ｘ  所要の部位
Ｓ  取水口の開口部
Ｋ  導管の開口部
Ｃ  水路
Ｃ１  水路の基体
Ｃ２  水路の底部
Ｇ  ゴミ
【図１】
2014202089.tif 000003
【図２】
2014202089.tif 000004
【図３】
2014202089.tif 000005
【図４】
2014202089.tif 000006
【図５】
2014202089.tif 000007
【図６】
2014202089.tif 000008
【図７】
2014202089.tif 000009
【図８】
2014202089.tif 000010
【図９】
2014202089.tif 000011